(57)【要約】【課題】室内壁面の好適な箇所に、確実に、かつ美観を損なわずに体裁よく物品ホルダを取り付けることができる物品ホルダ取付用基板を提供すること、及び前記物品ホルダ取付用基板に物品ホルダを取り付けた物品ホルダを提供する。【解決手段】室内壁面に取り付けた室内壁面埋込型スイッチのフラッシプレートに並設して物品ホルダを取り付けるための物品ホルダ取付用基板であって、前記物品ホルダの取付面を有する物品ホルダ取付部と、前記フラッシプレートの背面と室内壁面との間に介装される取付枠板部とを備えて構成した。【選択図】図１
2009165693.tif 000002
【特許請求の範囲】
【請求項１】
室内壁面に取り付けた室内壁面埋込型スイッチのフラッシプレートに並設して物品ホルダを取り付けるための物品ホルダ取付用基板であって、
前記物品ホルダの取付面を有する物品ホルダ取付部と、前記フラッシプレートの背面と室内壁面との間に介装される取付枠板部とを備えてなることを特徴とする物品ホルダ取付用基板。
【請求項２】
前記取付枠板部は、前記フラッシプレートを構成するスイッチ取付枠と壁面に挿入された押込みボックス前端の取付面との間に介装して前記取付面に固定するためのビス挿通孔が開設されてなることを特徴とする請求項１に記載の物品ホルダ取付用基板。
【請求項３】
前記取付枠板部は、前記フラッシプレートを構成するプレート枠の大きさに合わせた略口字枠板形状又は略コ字枠板形状に形成されてなることを特徴とする請求項１又は２に記載の物品ホルダ取付用基板。
【請求項４】
前記物品ホルダ取付部の中央面は、前方に若干突出した高段面にて形成されてなると共に、前記高段面に前記物品ホルダを係止するための係止手段が設けられてなることを特徴とする請求項１乃至３のいずれかの項に記載の物品ホルダ取付用基板。
【請求項５】
前記物品ホルダ取付部は、前記物品ホルダの背面側の適宜箇所から後方に向けて突設された係止爪を突入係止させる開孔部が形成されてなることを特徴とする請求項１乃至４のいずれかの項に記載の物品ホルダ取付用基板。
【請求項６】
前記物品ホルダが状差であることを特徴とする請求項１乃至５のいずれかの項に記載の物品ホルダ取付用基板。
【請求項７】
前記物品ホルダが家電製品のリモコン端末器のホルダであることを特徴とする請求項１乃至５のいずれかの項に記載の物品ホルダ取付用基板。
【請求項８】
請求項１乃至７に記載の物品ホルダ取付用基板に物品ホルダが取り付けられて成ることを特徴とする物品ホルダ。
【発明の詳細な説明】
【技術分野】
【０００１】
本発明は、室内壁面埋込型スイッチのフラッシプレートとともに室内壁面に取り付けられる物品ホルダ取付用基板と、この物品ホルダ取付用基板に物品ホルダが取り付けられた物品ホルダに関する。
【背景技術】
【０００２】
従来、封書，葉書，公共料金の請求書，領収書などを手軽に挿し入れて保管する物品ホルダに、状差しがある。従来から一般に使われている状差しは、フック，押しピンなどを利用して室内壁面に掛け止められ、このため、状差しの上部面には、フック，押しピンなどに掛止させるためのフック孔，鳩目孔などが形成されている。
【０００３】
ところで、最近のエアコン，テレビ，ビデオ装置などの家電製品は、ワイヤーレス方式のリモコン端末器で操作できるものが多くなっており、リモコン端末器の置き場所を忘れて、リモコン端末器を探すことが頻繁に起こっている。このため、従来より、リモコン端末器を所定の場所に入れて置くためのリモコン用ホルダが開発され、開示されている。
【０００４】
例えば、特許文献１により提示されるリモコンのホルダは、粘着材を利用して室内壁面に取り付けられ（同特許文献の段落「００１０」参照）、特許文献２により提示されるリモコン取付装置において、柱や壁に取付孔をビス止めして取付けられるリモコンホルダが開示されている（同特許文献の第１頁「要約」参照）。
【特許文献１】実登３０２０７７４号公報  段落００１０
【特許文献２】特願２００４−２３５９７４号公報  第１頁
【発明の開示】
【発明が解決しようとする課題】
【０００５】
しかしながら、最近の室内壁面は、コンクリートモルタル面に直接、壁クロスが貼着施工されたものが多いため、従来のように押しピン，ねじフックを利用して、状差しを室内壁面に簡単に取り付けることが出来なくなっている。壁板が貼られて施工された室内壁面の場合には、壁板に押しピン跡，ねじ跡が残る不具合があった。
【０００６】
また、状差し，リモコンホルダなどの物品ホルダを、両面粘着テープを利用して室内の室内壁面に取り付ける方法もあるが、クロス貼りされた室内壁面に両面粘着テープを貼着させることは困難であり、壁板に両面粘着テープを貼着させると、粘着テープを剥がすときに、壁板の表面が剥がれる不具合があった。さらに、リモコンホルダを室内の室内壁面にビス止めすると、室内壁面にビス跡が残り、石膏ボード製の室内壁面にリモコンホルダをビス止めしても、石膏ボードが脆いためにビスが脱落し易く、室内壁面にビス跡が残る不具合があった。このため、最近では、特に新築及び新装直後の室内の室内壁面に、状差し，リモコンホルダなどの物品ホルダを取り付けることは敬遠されがちであった。
【０００７】
本発明は、かかる事情に鑑みてなされたものであり、本発明の目的は、室内壁面の好適な箇所に、確実に、かつ美観を損なわずに体裁よく物品ホルダを取り付けることができる物品ホルダ取付用基板を提供すること、及び前記物品ホルダ取付用基板に物品ホルダを取り付けた物品ホルダを提供することにある。
【課題を解決するための手段】
【０００８】
請求項１に係る物品ホルダ取付用基板は、室内壁面に取り付けた室内壁面埋込型スイッチのフラッシプレートに並設して物品ホルダを取り付けるための物品ホルダ取付用基板であって、前記物品ホルダの取付面を有する物品ホルダ取付部と、前記フラッシプレートの背面と室内壁面との間に介装される取付枠板部とを備えてなることを特徴とする。
【０００９】
請求項１に係る物品ホルダ取付用基板にあっては、室内壁面埋込型スイッチのフラッシプレートと並んで室内の室内壁面に取り付けられる。この物品ホルダ取付用基板には物ホルダが取り付けられる。本発明の物品ホルダ取付用基板は、前記フラッシプレートの背面と室内壁面との間に介装される取付枠板部を備えているので、壁面に取り付ける際に、室内壁面を傷付けることなく、室内壁面の素材を問わず、簡単に、しかも確実に、室内壁面に取り付けられることができる。
【００１０】
請求項２に係る物品ホルダ取付用基板は、請求項１に記載の物品ホルダ取付用基板において、前記取付枠板部は、前記フラッシプレートを構成するスイッチ取付枠と壁面に挿入された押込みボックス前端の取付面との間に介装して前記取付面に固定するためのビス挿通孔が開設されてなることを特徴とする。
【００１１】
請求項２に係る物品ホルダ取付用基板にあっては、室内壁面埋込型スイッチのフラッシプレートは、スイッチ取付枠とプレート枠と化粧プレートとによって構成される。スイッチ本体を中央部に装着したスイッチ取付枠は、室内の室内壁面の開口部に押し込んで固定した押込みボックスの前端面に当接させてビス止めにより装着される。請求項２に係る物品ホルダ取付用基板は、このスイッチ取付枠と前記押込みボックスの前端面との間に介装してビス止め固定できる。
【００１２】
請求項３に係る物品ホルダ取付用基板は、請求項１又は２に記載の物品ホルダ取付用基板において、前記取付枠板部は、前記フラッシプレートを構成するプレート枠の大きさに合わせた略口字枠板形状又は略コ字枠板形状に形成されてなることを特徴とする。
【００１３】
請求項３に係る物品ホルダ取付用基板にあっては、スイッチ取付枠に装着されているスイッチ本体は、スイッチ取付枠の後方に大きく突出しており、しかも、スイッチ本体には、電線コードが接続されているため、スイッチ取付枠と押込ボックスの前端面との間に物品取付用基板の片側の取付枠板部を介装させるためのスイッチ本体の逃がし開口部を形成できるのである。
【００１４】
請求項４に係る物品ホルダ取付用基板は、請求項１乃至３のいずれかの項に記載の物品ホルダ取付用基板において、前記物品ホルダ取付部の中央面は、前方に若干突出した高段面にて形成されてなると共に、前記高段面に前記物品ホルダを係止するための係止手段が設けられてなることを特徴とする。
【００１５】
請求項４に係る物品ホルダ取付用基板にあっては、物品ホルダを本発明の物品ホルダ取付用基板に係止するための手段、例えば、ビス止めするためのねじ孔、又は、物品ホルダ本体の後端部から後方に突出するフック部或いは係止爪を突入係止させる開孔部を設けて、確実に係止できるようにすると共に、物品ホルダの取付面になる前記物品ホルダ取付部の中央面を前方に若干浮かした形状の高段面にて形成して、前記係止手段の先端部が背板から室内壁面側に突き出て、室内壁面を傷付けたり、物品ホルダ取付用基板を室内壁面から前方に浮かすことのないように、高段面の後方の室内壁面に、物品ホルダを取り付けるためのビス，係止用フック，係止爪などの先端部が届かない高さを確保した。
【００１６】
請求項５に係る物品ホルダ取付用基板は、請求項１乃至４のいずれかの項に記載の物品ホルダ取付用基板において、前記物品ホルダ取付部は、前記物品ホルダの背面側の適宜箇所から後方に向けて突設された係止爪を突入係止させる開孔部が形成されてなることを特徴とする。
【００１７】
請求項５に係る物品ホルダ取付用基板にあっては、前記物品ホルダの背面側の適宜箇所から後方に向けて突設された係止爪を突入係止させる開孔部が形成されているので、このような物品ホルダを取り付けることができる。
【００１８】
請求項６に係る物品ホルダ取付用基板は、請求項１乃至５のいずれかの項に記載の物品ホルダ取付用基板において、物品ホルダが状差であることを特徴とする。
【００１９】
請求項６に係る物品ホルダ取付用基板にあっては、物品ホルダには各種の形状のものが挙げられるが、状差しとして使用されるようにした。
【００２０】
請求項７に係る物品ホルダ取付用基板は、請求項１乃至５のいずれかの項に記載の物品ホルダ取付用基板において、物品ホルダが家電製品のリモコン端末器のホルダであることを特徴とする。
【００２１】
請求項７に係る物品ホルダ取付用基板にあっては、エアコン、テレビ、ビデオレコーダなどの家電製品のリモコン端末器のホルダとして使用できるようにした。
【００２２】
そして、本発明においては、物品ホルダ取付用基板には物品ホルダが取り付けられることによって実用品として機能するため、物品ホルダ取付用基板に物品ホルダを取り付けたものにも本発明の権利範囲を及ばせるようにした。すなわち、請求項８の室内壁面取付型物品ホルダは、請求項１乃至７に記載の物品ホルダ取付用基板に物品ホルダが取り付けられて成るところに特徴がある。
【発明の効果】
【００２３】
請求項１に係る物品ホルダ取付用基板によれば、室内壁面埋込型スイッチとともに室内の室内壁面に取り付けてその近傍室内壁面に物品ホルダの取り付け面を設けることができるため、室内の室内壁面を傷つけることなく室内壁面に物品ホルダを配設することができる。また、従来では物品ホルダを取り付けることが困難であったコンクリート面にクロス貼り施工された室内壁面にも物品ホルダを配設することができる。
【００２４】
請求項２に係る物品ホルダ取付用基板によれば、前記フラッシプレートの前端面を構成するスイッチ取付枠と押込みボックス前端の取付面との間に挟んで、スイッチ取付枠とともに該取付面に取り付けることができる構成にした結果、室内の室内壁面に密着させた状態で見栄え良く、確実に物品ホルダ取付用基板を取り付けることができる。
【００２５】
請求項３に係る物品ホルダ取付用基板によれば、取付枠板部を前記プレート枠の大きさに合わせた略口字枠板形状又は略コ字枠板形状とした結果、室内壁面の開口部後方に突出するスイッチ本体を避けて、物品ホルダ取付用基板を室内壁面に沿わせて取り付けることができる。
【００２６】
請求項４に係る物品ホルダ取付用基板によれば、物品ホルダの取付面になる前記物品ホルダ取付部の中央面を前方に若干突出させた高段面にて形成し、この高段面に物品ホルダ本体をビス止めするためのビス挿通孔、又は、物品ホルダの後端部から後方に突出する係止用フック部或いは係止爪を突入係止させる開孔部等の係止手段を形成した結果、物品ホルダを高段面に装着した際に、係止用フック，ビス，係止爪などの先端部を高段部の後方に形成された隙間内に突出させることができるようになり、このためこれらの先端部で室内壁面を傷付けることを無くすことができるようになった。また、これらの先端部が室内壁面を押し付けて物品取付用基板を室内壁面から手前方向に浮き上がらせることも無くなる。
【００２７】
請求項５に係る物品ホルダ取付用基板によれば、物品ホルダは、後端縁部の適所から後方に向けて係止爪が形成され、前記物品ホルダ取付部には、該係止爪を突入係止させる開孔部が形成された形状にした結果、物品ホルダの取付操作が簡単な物品ホルダ取付用基板とすることができる。
【００２８】
請求項６に係る物品ホルダ取付用基板によれば、状差しになる物品ホルダを取り付ける基板で構成した結果、封書，葉書，公共料金の請求書，領収書などを手軽に挿し入れて保管する物品ホルダを、使い易い手の届く位置に壁を傷付けることなく配設させることができる。
【００２９】
請求項７に係る物品ホルダ取付用基板によれば、家電製品のリモコン端末器のホルダを取り付けることができる基板で構成した結果、リモコン端末器を好適に収容するホルダを提供することができる。
【００３０】
請求項８に係る物品ホルダに依れば、請求項１乃至７に記載の物品ホルダ取付用基板に物品ホルダを取り付けた物品ホルダを提供することができる。
【発明を実施するための最良の形態】
【００３１】
以下、本発明に係る物品ホルダ取付用基板および物品ホルダを実施するための最良の形態を、図面に基づいて具体的に説明する。
【００３２】
（第１の実施形態）
図１における（ａ）図は、本発明に係る第１の実施形態の物品ホルダ取付用基板を示した平面図、（ｂ）図は同正面図、（ｃ）図は（ｂ）図におけるＡ−Ａ断面図である。図１（ａ）〜（ｃ）図において、１０は、本発明に係る第１の実施形態の物品ホルダ取付用基板であり、該物品ホルダ取付用基板１０は、右側に物品ホルダ取付部１０Ｒを有し、左側に室内壁面埋込型スイッチと共に室内の室内壁面に取り付けられる取付枠板部１０Ｌを有する、プスチック製又は金属製の板状一体成形品で構成されている。
【００３３】
前記物品ホルダ取付部１０Ｒは、後述する物品ホルダを装着する面を構成しており、その周縁部で囲まれた面は、手前方向に小高く突出した平坦な高段面１０ａにて形成している。そして、該高段面１０ａの上部中央箇所と下部中央箇所には、前記物品ホルダを高段面１０ａの前面に装着するためのビス螺入孔１０ｂ，１０ｂを開設している。
【００３４】
前記取付枠板部１０Ｌは、前記物品ホルダ取付用基板１０を室内壁面埋込型スイッチと室内壁面との間に介装する装着面になり、前記取付枠板部１０Ｌの中央には、スイッチ本体２５等を逃がすための開口部１０ｃが開設され、周囲の面が平坦面に形成された、上下高さＨ及び横幅領域Ｇを規格化された室内壁面埋込型スイッチの前面カバーに合わせた大きさとしている。前記取付枠板部１０Ｌの上部面及び下部面の各中央箇所には、前記物品ホルダ取付用基板１０を後述する取付面に装着するための、横方向の径が長く形成された長孔よりなるビス挿通孔１０ｅ，１０ｅが開設されている。
【００３５】
図２は、分解した状態の室内壁面埋込型スイッチと第１実施形態のホルダ取付用基板を示した斜視図である。図２に示すように、前記物品ホルダ取付用基板１０は、室内壁面埋込型スイッチ２０のフラッシプレート２１と共に、室内の室内壁面Ｗに取り付けられて、後述する物品ホルダの取り付け面として使用される。前記フラッシプレート２１は、スイッチ取付枠２２と、プレート枠２３と、化粧プレート２４とを組み合わせたものであり、室内壁面埋込型スイッチ２０は、フラッシプレート２１とスイッチ本体２５とから構成されている。
【００３６】
前記室内壁面埋込型スイッチ２０の取り付けは、図２に示す室内の室内壁面Ｗに開設した矩形の開口部Ｗａの内側に取り付けられている押込ボックス２６の前端にスイッチ取付枠を装着して行う。押込ボックス２６は、スイッチ本体２５とその後方の電気信号線の端末などを保護するとともに、室内壁面埋込型スイッチ２０を装着するために設けてあり、前記押込みボックス２６の前端の上部位置と下部位置には、前記スイッチ取付枠２２を装着するための取付面２６ａ，２６ａが設けられている。該取付面２６ａ，２６ａは、室内の室内壁面Ｗに開設した矩形の開口部Ｗａの前端、即ち、室内壁面Ｗの表面と、略面を揃えた位置にあり、前記取付面２６ａ，２６ａには、前記スイッチ取付枠２２をビス止めするためのビス螺入孔２６ｂ，２６ｂが開設されている。
【００３７】
前記物品ホルダ取付用基板１０の取り付けに際しては、前記室内壁面埋込型スイッチ２０が既に室内壁面Ｗに取付けられている場合には、前記室内壁面埋込型スイッチ２０を構成する各部品を図２に示す程度まで室内壁面Ｗから取り外して後、前記物品ホルダ取付用基板１０を取付けるのである。
【００３８】
前記物品ホルダ取付用基板１０の取り付けは、前記スイッチ取付枠２２と前記押込みボックス２６前端の取付面２６ａ，２６ａとの間に介装して行うため、前記取付枠板部１０Ｌを前記スイッチ取付枠２２の背面側に位置させる必要がある。
【００３９】
図３は、第１実施形態の物品ホルダ取付用基板の取付枠板部をスイッチ取付枠の背面側に配置させる手法の一例を示した斜視図である。図３に示すように、前記取付枠板部１０Ｌに形成されている前記開口部１０ｃ内に、前記スイッチ取付枠２２の上部分を入れて、前記開口部１０ｃの上端縁が前記スイッチ本体２５の上端に当接するまで前記取付枠板部１０Ｌを下方に移動させ、この状態で、前記スイッチ取付枠２２の下部分を前記開口部１０ｃ内に入れて、前記スイッチ取付枠２２全体を前記開口部１０ｃの前方に位置させるようにする。
【００４０】
そして、前記取付枠板部１０Ｌを、前記スイッチ取付枠２２の背面側に位置させた後、前記スイッチ取付枠２２に形成されている長孔形状のビス挿通孔２２ｄ，２２ｄの位置と、前記取付枠板部１０Ｌに形成されている長形状のビス挿通孔１０ｅ，１０ｄの位置を、前記押込みボックス２６の取付面２６ａ，２６ａに形成されているビス螺入孔２６ｂ，２６ｂの位置に揃えるようにして、前記スイッチ取付枠２２と前記取付枠板部１０Ｌを前記取付面２６ａ，２６ａの前面に重ね合わせ、この状態で、ビス２７，２７を利用して、前記スイッチ取付枠２２と前記取付枠板部１０Ｌを前記取付面２６ａ，２６ａに装着するのである。
【００４１】
図４は、室内壁面埋込型スイッチの組み付け工程の途中の状態を示した斜視図であり、図５は、スイッチ取付枠と取付枠板部を押込ボックス前端に取り付けた状態を示した正面図であり、図６は図５におけるＡ−Ａ断面図である。図４乃至図６に示すように、前記スイッチ取付枠２２と前記取付枠板部１０Ｌを前記押込ボックス２６前端の取付面２６ａ，２６ａに装着すると、前記取付枠板部１０Ｌが室内壁面Ｗに形成されている開口部Ｗａよりも広く、また、前記取付面２６ａ，２６ａの前面と室内壁面Ｗとが面を揃えて段差が無いために、前記取付枠板部１０Ｌの外周に沿う一部面と、前記取付枠板部１０Ｌの横の物品ホルダ取付部１０Ｒの外周縁部が室内壁面Ｗに接して位置することとなる。
【００４２】
前記物品ホルダ取付用基板１０の取り付けは、以上の方法で行なわれ、この後、前記プレート枠２３と、前記化粧プレート２４を順に取り付けるのである。図４乃至図６に示すように、前記プレート枠２３の背面には前記スイッチ取付枠２２の肉厚に相当する低段面が形成されており、前記プレート枠２３はこの低段面内に前記スイッチ取付枠２２を嵌め入れ、前記スイッチ取付枠２２の両側縁部に沿った部分を前方に折曲させて形成されているリブ２２ｅ，２２ｅを前記プレート枠２３の開口部２３ａ内に突入させて、前記プレート枠２３を  ｚスイッチ取付枠２２に重ねて、前記スイッチ取付枠２３の周縁部２３ｂの後縁面に前記スイッチ取付枠２２の背面の面を揃えて、ビス２７，２７を利用して、前記プレート枠２３を前記スイッチ取付枠２３に装着する。ビス止めによる装着を可能にするために、前記プレート枠２３の上部面と下部面にはビス挿通孔２３ｄ，２３ｄが形成されており、前記スイッチ取付枠２２の上部面と下部面には、ビス螺入孔２２ｃ，２２ｃが形成されており、ビス螺入孔２２ｃ，２２ｃを中心とする周辺面は、ビス２７，２７の先端部が前記スイッチ取付枠２２の背面から後方に突出しないように、前方に小高く突出形成されている。
【００４３】
図７は、プレート枠をスイッチ取付枠にビス止めして装着した状態を示した斜視図であり、図８はその正面図、図９は図８におけるＡ−Ａ断面図である。前記プレート枠２３を前記スイッチ取付枠２１にビス止めして装着すると、図７乃至図９に示すように、前記取付枠板部１０Ｌがプレート枠２３で覆われ、前記取付枠板部１０Ｌの外周縁に沿った面が前記プレート枠２３によって室内壁面Ｗに押し付けられるため、前記取付枠板部１０Ｌは更に強固に室内壁面Ｗに沿って固定されることとなる。そして、この後、前記化粧プレート２４を前記プレート枠２３の前面に装着する。前記化粧プレート２４の装着は、前記化粧プレート２４の背面から後方に向けて突出形成されている爪部２４ｂ，２４ｂ・・を前記プレート枠２３に開設されている長孔２３ｅ，２３ｅ・・内に突入係止させることにより行なう。
【００４４】
図１０は、化粧プレート装着後の状態を示した正面図であり、図１１は図１０におけるＡ−Ａ断面図である。前記化粧プレート２４を前記プレート枠２３に装着すると、図１０及び図１１に示すように、前記プレート枠２３の周縁部分を残した前面の大部分が覆われ、前記化粧プレート２４の中央に形成されている開口部２４ａ内に前記スイッチ本体２５の前端部２５ａが突入した状態になる。室内壁面埋込型スイッチ２０の組み付け及び装着と、前記物品ホルダ取付用基板１０の取り付けはこれで終了し、これにより室内壁面埋込型スイッチ２０の側方に前記物品ホルダ取付用基板１０の物品ホルダ取付部１０Ｒが室内壁面Ｗに沿って位置する。そして、この後、物品ホルダ取付部１０Ｒの中央に形成されている高段面１０ａの前面に所望の物品ホルダを取り付けるのである。
【００４５】
図１２は、状差し形状として使用できる物品ホルダを第１実施形態のホルダ取付用基板に取り付ける直前の状態を示した斜視図であり、図１３は同じく取り付け後の状態を示した正面図であり、図１４は図１３におけるＡ−Ａ断面図である。
【００４６】
図１２乃至図１４に示すように、状差である物品ホルダ８０の取り付けは、例えば、ビス止めによる方法で行なわれる。ビス２９，２９は、物品ホルダ８０から物品ホルダ取付部１０Ｒの高段面１０ａの上下中央箇所に開設されているビス孔１０ｃ，１０ｃに向けて螺入させて強く締め付けられ、このとき、ビス２９，２９の先端部が高段面１０ａの後方に突出するが、高段面１０ａが手前側に突出して、高段面１０ａと室内壁面Ｗとの間に隙間Ｐが形成されているため、ビス２９，２９の先端部が室内壁面Ｗ内に突入して室内壁面Ｗを傷付けたり、ビス２９，２９の先端部が室内壁面を押し付けて物品ホルダ８０の背板８０ａと高段面１０ａとを強く締結されない不具合が生じることはない。このようにして、前記物品ホルダ取付用基板１０に物品ホルダ８０を取り付けると、物品ホルダ８０は手の届く高さの位置にある室内壁面埋込型スイッチ２０の横に配置されるため、封書，葉書，公共料金の請求書，領収書などを手軽に挿し入れて保管する状差しとして使用することができる。前記物品ホルダ取付用基板１０に取り付けることができる物品ホルダ８０は、状差し形状のものに限られず、例えば、エアコン，テレビ，ビデオ装置などの家電製品に付属のワイヤーレス方式のリモコン端末器を収容するリモコン端末器ホルダを取り付けることも可能である。
【００４７】
図１５は、リモコン端末器ホルダ８２を前記物品ホルダ取付用基板１０に取り付ける直前の状態を示した斜視図、図１６は同じく取り付け後の状態を示した斜視図である。
【００４８】
図１５及び図１６に示すように、リモコン端末器を収納するリモコン端末器ホルダ９１も前述した状差し形状の物品ホルダの取り付け事例と同様の方法で前記物品ホルダ取付用基板１０に取り付けられる。リモコン端末器ホルダ９１は、家電製品に付属のリモコン端末器ホルダをそのまま利用することも可能であり、市販のリモコン端末器ホルダなどを利用することも可能である。前記物品ホルダ取付用基板１０の高段面１０ａは平坦面であり、このため、両面粘着テープを利用して、リモコン端末器ホルダ９１、前述した状差し形状の物品ホルダなどを高段面１０ａに貼着固定させるようにしてもよい。物品ホルダは、リモコン端末器ホルダ９１、及び、前述した状差し形状のものに限定されず、所望の用途に応じたものを取り付けるようにしてもよい。例えば、磁気吸着可能な金属シート片又はゴムシート片を高段面１０ａに貼着固定させると、マグネットクリップを利用したメモホルダとして使用することができる。
【００４９】
〔第２実施形態〕
図１７における（ａ）図は本発明第２実施形態の物品ホルダ取付用基板を示した平面図、（ｂ）図は同じく正面図、（ｃ）図は（ｂ）図におけるＡ−Ａ断面図である。図１７の（ａ）〜（ｃ）図に示す本発明第２実施形態の物品ホルダ取付用基板（以下、第２実施形態のホルダ取付用基板と略称する。）１０Ａは、室内壁面埋込型スイッチと共に室内の室内壁面に取り付けられる取付枠板部１０Ｌの下方に、物品ホルダ取付部１０Ｒが一体形成されたプラスチック製又は金属製の一体成形品であり、物品ホルダ取付部１０Ｒの周縁部で囲まれた略矩形の面が高段部１０ａにて形成されている。そして、取付枠板部１０Ｌの中央部には開口部１０ｃが形成され、該開口部１０ｃの周囲を形成している取付枠板部１０Ｌの上部面の中央と下部面の中央には横方向の径が長いビス挿通孔１０ｅ，１０ｅが形成されている。第２実施形態のホルダ取付用基板１０Ａにおいては、取付枠板部１０Ｌの下方に物品ホルダ取付部１０Ｒが形成されている。物品ホルダ取付部１０Ｒは、周縁部で囲まれた面が手前方向に小高く突出した平坦な高段面１０ａにて形成されており、高段部１０ａの上部中央箇所と下部中央箇所にビス螺入孔１０ｂ，１０ｂが形成されている。
【００５０】
前記取付枠板部１０Ｌに形成されているビス挿通孔１０ｅ，１０ｅは、物品ホルダ取付用基板１０Ａを室内壁面埋込型スイッチにビス止めするためにあり、高段面１０ａに形成されているビス螺入孔１０ｂ，１０ｂは、物品ホルダを高段面１０ａにビス止めするためにある。
【００５１】
図１８は、分解した状態の室内壁面埋込型スイッチと第１実施形態のホルダ取付用基板の一部を示した斜視図である。第２実施形態の物品ホルダ取付用基板１０Ａは、図１８に示すように、室内壁面埋込型スイッチ２０が室内壁面Ｗの柱Ｋの左横に取り付けられているために、柱Ｋが邪魔になって壁面埋込型スイッチ２０の室内壁面Ｗの右横に取り付けることができない場合に対応させたものであり、取付枠板部１０Ｌの下方に物品ホルダを取り付けることができるように構成している。
【００５２】
図１９は、第２実施形態のホルダ取付用基板の取付枠板部をスイッチ取付枠の背面側に配置させる手法の一例を示した斜視図、図２０は同じく正面図、図２１は図２０におけるＡ−Ａ断面図である。
【００５３】
取付枠板部１０Ｌの取り付けは、図１９に示すように、図３により前述した手法と同様の手法により、スイッチ取付２２枠の背面側に配置させて、ビス２６，２６を利用して、スイッチ取付枠２２と壁面埋込型スイッチ２０の取付面２６ａ，２６ａ前面の間に挟着させる手法で行い、このようにすると、図２０の（ａ）図及び（ｂ）図に示すように、取付枠板部１０Ｌを、壁面埋込型スイッチ２０の下方に、室内壁面Ｗの沿わせて位置させることができる。
【００５４】
図２１は室内壁面埋込型スイッチの組み付け工程の途中の状態を示した斜視図、図２２は室内壁面埋込型スイッチの組み付けと第２実施形態のホルダ取付用基板の取り付けを終えた状態を示した斜視図、図２３における（ａ）図は室内壁面埋込型スイッチの組み付けと第２実施形態のホルダ取付用基板の取り付けを終えた状態を示した正面図、（ｂ）図は（ａ）図におけるＡ−Ａ断面図である。
【００５５】
取付枠板部１０Ｌの取り付けを終えると、図２１に示すように、プレート枠２３をスイッチ取付枠２２前面に被せて、ビス２７，２７を利用して装着し、続いて、化粧プレート２４の背面から後方に向けて突出形成されている爪部２４ｂ，２４ｂ・・をプレート枠２３に開設されている長孔２３ｅ，２３ｅ・・内に突入係止させて、化粧プレート２４をプレート枠２３の前面に装着すると、室内壁面埋込型スイッチ２０の組み付けが終了する。
【００５６】
第２実施形態のホルダ取付用基板１０Ａの取り付けと室内壁面埋込型スイッチ２０の組み付けを終えると、図２２、図２３の（ａ）図及び（ｂ）図に示すように、室内壁面埋込型スイッチ２０の下方位置に物品ホルダ取付部１０Ｒが位置し、この物品ホルダ取付部１０Ｒの前面に、所望の物品ホルダを取り付ける。物品ホルダの取り付けは、物品ホルダ取付部１０Ｒの大部分を占める高段面１０ａの上下の箇所に形成されているビス螺入孔１０ｂ，１０ｂを利用して行なう。
【００５７】
図２４は物品ホルダの取り付け方法を示した斜視図、図２５は物品ホルダの取り付け後の状態を示した斜視図、図２６は物品ホルダの取り付け後の状態を示した側面断面図である。
【００５８】
図２４に示す物品ホルダ８０は家電製品のリモコン端末器ホルダ９１であり、ビス２９，２９をリモコン端末器ホルダ９１の前面方向から挿入して、物品ホルダ取付部１０Ｒのビス螺入孔１０ｂ，１０ｂ内の螺入・締結させて、リモコン端末器ホルダ９１を物品ホルダ取付部１０Ｒの前面に取り付ける。図２６に示すように、第２実施形態のホルダ取付用基板１０Ａの物品ホルダ取付部１０Ｒは、第１実施形態のホルダ取付用基板の物品ホルダ取付部と同様に、高段面１０ａが手前側に突出して、高段面１０ａと室内壁面Ｗとの間に隙間Ｐが形成されているため、ビス２９，２９の先端部が室内壁面Ｗ内に突入して室内壁面Ｗを傷付けたり、ビス２９，２９の先端部が室内壁面を押し付けて物品ホルダ８０の背板８０ａと高段面１０ａとを強く締結されない不具合が生じることはない。
【００５９】
〔第３実施形態〕
図２７における（ａ）図は本発明第３実施形態の物品ホルダ取付用基板を示した平面図、（ｂ）図は同じく正面図、（ｃ）図は（ｂ）図におけるＡ−Ａ断面図である。
図２７の（ａ）〜（ｃ）図に示す本発明第３実施形態の物品ホルダ取付用基板（以下、第３実施形態のホルダ取付用基板と略称する。）１０Ａは、室内壁面埋込型スイッチと共に室内の室内壁面に取り付けられる正面視において略コ字形状を有する取付枠板部１０Ｌの下方に、物品ホルダ取付部１０Ｒが一体形成されたプラスチック製又は金属製の一体成形品であり、物品ホルダ取付部１０Ｒの周縁部で囲まれた略矩形の面が高段部１０ａにて形成されている。そして、取付枠板部１０Ｌの上部面の中央と下部面の中央には横方向の径が長いビス挿通孔１０ｅ，１０ｅが形成され、高段部１０ａの上部中央箇所と下部中央箇所にビス螺入孔１０ｂ，１０ｂが形成されている。
【００６０】
図２７に示す第３実施形態の物品ホルダ取付用基板１０Ｂは、第２実施形態の物品ホルダ取付用基板と同様に、物品ホルダ取付部１０Ｒを室内壁面埋込型スイッチの下方に位置させることができるタイプのものであり、とくに第３実施形態の物品ホルダ取付用基板１０Ｂの取付枠板部１０Ｌは、その片側を開放させた形状になっている。
いる。
【００６１】
図２８は分解した状態の室内壁面埋込型スイッチと第１実施形態のホルダ取付用基板の一部を示した斜視図、図２９における（ａ）図はスイッチ取付枠と第２実施形態のホルダ取付用基板の取り付け後の状態を示した正面図、（ｂ）図は、（ａ）図におけるＡ−Ａ断面図である。
である。
【００６２】
図２８に示すように第３実施形態の物品取付用基板１０Ｂの取付枠板部１０Ｌは、図２８に示すように、スイッチ取付枠２２を壁面埋込型スイッチ２０の取付面２６ａ，２６ａに装着しているビス２６，２６を一旦、取り外し、スイッチ取付枠２２を若干、手前方向に移動させた状態で、スイッチ取付枠２２とその後方に位置する壁面埋込型スイッチ２０の取付面２６ａ，２６ａとの間に差し入れて、スイッチ取付枠２２と取付面２６ａ，２６ａとの間に挟んだ状態で、ビス２６，２６を利用して装着できるようになっている。このため、取付枠板部１０Ｌの取り付けが簡単に行なえる。
【００６３】
図３０は室内壁面埋込型スイッチの組み付け工程の途中の状態を示した斜視図、図３１は室内壁面埋込型スイッチの組み付けと第３実施形態のホルダ取付用基板の取り付けを終えた状態を示した斜視図、図３２は室内壁面埋込型スイッチの組み付けと第２実施形態のホルダ取付用基板の取り付けを終えた状態を示した正面図、図３３は物品ホルダの取り付け後の状態を示した側面断面図である。
【００６４】
取付枠板部１０Ｌの取り付けを終えると、図３０に示すプレート枠２３をスイッチ取付枠２２前面に被せて、ビス２７，２７を利用して装着し、続いて、化粧プレート２４の背面から後方に向けて突出形成されている爪部２４ｂ，２４ｂ・・をプレート枠２３に開設されている長孔２３ｅ，２３ｅ・・内に突入係止させて、化粧プレート２４をプレート枠２３の前面に装着すると、図３１に示すように、室内壁面埋込型スイッチ２０の組み付けが終了する。そして、その後、図３２に示すように、例えば、家電製品のリモコン端末器ホルダ９１を、ビス２９，２９を利用して、物品ホルダ取付部１０Ｒの前面に取り付ける。
【００６５】
〔第４実施形態〕
図３３における（ａ）図は本発明第４実施形態の物品ホルダ取付用基板を示した平面図、（ｂ）図は同じく正面図、（ｃ）図は（ｂ）図におけるＡ−Ａ断面図である。
図３３（ａ）図〜（ｃ）図に示す第４実施形態の物品ホルダ取付用基板１０Ｃは、右側に物品ホルダの取付面になる矩形の高段部１０ａが中央面に形成された物品ホルダ取付部１０Ｒを有し、左側に室内壁面埋込型スイッチと共に室内の室内壁面に取り付けられる略コ字形状の取付枠板部１０Ｌを有する、プスチック製又は金属製の板状一体成形品で構成される。前記高段面１０ａの上部中央箇所と下部中央箇所には、物品ホルダを高段面１０ａの前面に装着するためのビス螺入孔１０ｂ，１０ｂが開設されており、取付枠板部１０Ｌの上部面と下部面の中央箇所には、取付枠板部１０Ｌを壁面埋込型スイッチ２０の取付面２６ｂ，２６ｂに装着するためのビス挿通孔１０ｃ，１０ｃが形成されている。
【００６６】
図３４は、分解した状態の室内壁面埋込型スイッチと第４実施形態のホルダ取付用基板を示した斜視図、図３５は物品ホルダ取付用基板１０Ｃの取り付けと室内壁面埋込型スイッチ２０の組み付けを終えた状態を示した斜視図、図３６はその側面断面図である。
【００６７】
第４実施形態のホルダ取付用基板１０Ｃの取付枠板部１０Ｌは、図３３の（ｂ）図及び図３４に示すように、略コ字形状を有しており、取付枠板部１０Ｌは、第３実施形態のホルダ取付用基板と同様の手法で、スイッチ取付枠２２と押込みボックス１５前端の取付面２６ａ，２６ａとの間に取り付けられる。そして、その後、プレート枠２３と化粧プレート２４が組み付けられる。
【００６８】
図３５に示すように、第４実施形態のホルダ取付用基板１０Ｃを室内壁面埋込型スイッチ１０Ｃを利用して、室内壁面Ｗに取り付けた後は、例えば、図３６に示す
状差しになる物品ホルダ８０を、ビス２９，２９を利用して、物品ホルダ取付部１０Ｒの前面に取り付ける。
【００６９】
〔第５実施形態〕
図３７における（ａ）図は本発明第５実施形態の物品ホルダ取付用基板を示した正面図、（ｂ）図は（ａ）図におけるＡ−Ａ断面図である。
図３７の（ａ）及び（ｂ）図に示す本発明第５実施形態の物品ホルダ取付用基板（以下、第５実施形態のホルダ取付用基板と略称する。）１０Ｅは、下部に物品ホルダの取付面になる矩形の高段部１０ａが中央面に形成された物品ホルダ取付部１０Ｒを有し、上部に室内壁面埋込型スイッチと共に室内の室内壁面に取り付けられる略コ字形状の取付枠板部１０Ｌを有する、プスチック製又は金属製の板状一体成形品で構成される。
高段面１０ａの上部中央箇所と下部中央箇所には、物品ホルダを高段面１０ａの前面に装着するためのビス螺入孔１０ｂ，１０ｂが開設されており、取付枠板部１０Ｌの上部面と下部面の中央箇所には、このホルダ取付用基板１０Ｂを後述する取付面に装着するためのビス挿通孔１０ｃ，１０ｃが形成されている。
【００７０】
図３８は、分解した状態の室内壁面埋込型スイッチと第５実施形態のホルダ取付用基板を示した斜視図である。第５実施形態のホルダ取付用基板１０Ｅの取付枠板部１０Ｌは、略コ字形状を有しているため、図２２に示すように、取付枠板部１０Ｌを、スイッチ取付枠２２と押込みボックス１５前端の取付面２６ａ，２６ａとの間に横方向から挿し入れて、スイッチ取付枠２２の背面側に配置させることができるため、取付枠板部１０Ｌをスイッチ取付枠２２と前記取付面２６ａ，２６ａとの間に挟み付けてビス止めして装着する作業が、口字形状の取付枠部よりも容易に行なえる。
【００７１】
図３９は、第５実施形態のホルダ取付用基板を室内壁面埋込型スイッチと共に室内壁面に配設した状態を示した斜視図である。図３９に示すように、第５実施形態のホルダ取付用基板１０Ｅにおいては、その下面を形成している物品ホルダ取付部１０Ｒの中央に、物品ホルダを取り付ける高段面１０ａが形成されているため、この面１０ａに物品ホルダを取り付ける。室内壁面埋込型スイッチ２０は室内の室内壁面Ｗの柱Ｋの近傍箇所に取り付けられていることが多く、第５実施形態のホルダ取付用基板１０Ｅは、このように室内壁面埋込型スイッチ２０が柱Ｋの横に位置している場合においても取り付けられるようにした。
【００７２】
〔第６実施形態〕
図４０は本発明による第６実施形態における室内壁面取付型物品ホルダのホルダ取付用基板と物品ホルダと分解した状態の室内壁面埋込型スイッチとを示した斜視図である。
図４０に示す物品ホルダ取付用基板１０Ｅは、右側に物品ホルダ８０の取付面になる物品ホルダ取付部１０Ｒを有し、左側に室内壁面埋込型スイッチと共に室内の室内壁面に取り付けられる略コ字形状の取付枠板部１０Ｌを有する、プスチック製又は金属製の板状一体成形品で構成される。
【００７３】
物品ホルダ取付部１０Ｒは後述する物品ホルダを装着する面になり、このホルダ取付用基板１０Ｅの物品ホルダ取付部１０Ｒは、物品ホルダ取付部１０Ｒの周縁部で囲まれた面が手前方向に小高く突出した平坦な高段面１０ａにて形成されている。高段面１０ａの上部中央箇所と下部中央箇所に、物品ホルダを高段面１０ａの前面に装着するためのビス螺入孔１０ｂ，１０ｂが開設されている。取付枠板部１０Ｌの上部面と下部面の中央箇所には、このホルダ取付用基板１０Ｂを後述する取付面に装着するためのビス挿通孔１０ｃ，１０ｃが形成されている。第６実施形態のホルダ取付用基板１０Ｅに取り付けられる物品ホルダ８１は、背部が解放された形状を有し、後端縁部から後方に向けて係止用爪８１，９１・・を突出させた形状のものが用いられ、このため、高段面１０にはこれら係止用爪８１，９１・・を突入係止させて物品ホルダ８１を高段面１０ａの前面に固定させる開口部１０ｆ，１０ｆ・・が形成されている。
【００７４】
図４１はホルダ取付用基板の物品ホルダ取付部に物品ホルダを取り付ける直前の状態を示した斜視図、図４２は同じくその斜視図、図４３は同じくその側面断面図、図３８は物品ホルダ前端の係止爪を物品ホルダ取付部に形成されている開孔内に突入係止させた状態を示した部分平面拡大断面図である。
【００７５】
図４１に示す物品ホルダ８０は、状差しとして利用できる物品ホルダであり、この物品ホルダ８０は、背面が開放されており、第５実施形態のホルダ取付用基板１０Ｄにおけるホルダ取付用基板１０Ｂと一体に組み付けられて室内壁面取付型物品ホルダが形成される。
【００７６】
物品ホルダ８０は、その前端縁部に突出形成されている係止爪８０ｆ，８０ｆ・・を、ホルダ取付用基板１０Ｂにおける高段面１０ａに形成されている開孔部１０ｆ，１０ｆ・・内に突入係止させることによって、図４２及び図４３に示すように、ホルダ取付用基板１０Ｂに取り付けられる。係止爪８０ｆと開孔部１０ｆとの係合は、図４４に示すように、係止爪８０ｆの前端に形成されている突段部８０ｇが開孔部１０ｆの内側縁部に係止されるため、不用意に抜け外れることはない。ホルダ取付用基板１０Ｂの周縁部で囲まれた面が高段面１０ａにて形成されているのは、上述したように、係止爪８０ｆを開孔部１０ｆ内に突入係止させることを可能にするためである。
【図面の簡単な説明】
【００７７】
【図１】（ａ）図は本発明第１実施形態の物品ホルダ取付用基板を示した平面図、（ｂ）図は同じく正面図、（ｃ）図は（ｂ）図におけるＡ−Ａ断面図である。
【図２】分解した状態の室内壁面埋込型スイッチと第１実施形態のホルダ取付用基板を示した斜視図である。
【図３】第１実施形態のホルダ取付用基板の取付枠板部をスイッチ取付枠背面側に配置させる手法の一例を示した斜視図である。
【図４】スイッチ取付枠と第１実施形態のホルダ取付用基板の装着後の状態を示した斜視図である。
【図５】、図５は同じく正面図である
【図６】図６は図５におけるＡ−Ａ断面図である。
【図７】プレート枠をスイッチ取付枠にビス止めして装着した状態を示した斜視図である。
【図８】同じくその正面図である。
【図９】図８におけるＡ−Ａ断面図である。
【図１０】化粧プレート装着後の状態を示した正面図である。
【図１１】図１０におけるＡ−Ａ断面図である。
【図１２】状差し形状として使用できる物品ホルダを第１実施形態のホルダ取付用基板に取り付ける直前の状態を示した斜視図である。
【図１３】同じく取り付け後の状態を示した正面図である
【図１４】図１３におけるＡ−Ａ断面図である。
【図１５】リモコン端末器ホルダを第１実施形態のホルダ取付用基板に取り付ける直前の状態を示した斜視図である。
【図１６】同じく取り付け後の状態を示した斜視図である。
【図１７】（ａ）図は本発明第２実施形態の物品ホルダ取付用基板を示した平面図、（ｂ）図は同じく正面図、（ｃ）図は（ｂ）図におけるＡ−Ａ断面図である。
【図１８】分解した状態の室内壁面埋込型スイッチと第１実施形態のホルダ取付用基板の一部を示した斜視図である。
【図１９】第２実施形態のホルダ取付用基板の取付枠板部をスイッチ取付枠の背面側に配置させる手法の一例を示した斜視図である。
【図２０】同じく正面図である。
【図２１】図２０におけるＡ−Ａ断面図である。
【図２３】（ａ）図は室内壁面埋込型スイッチの組み付けと第２実施形態のホルダ取付用基板の取り付けを終えた状態を示した正面図、（ｂ）図は（ａ）図におけるＡ−Ａ断面図である。
【図２４】物品ホルダの取り付け方法を示した斜視図である。
【図２５】物品ホルダの取り付け後の状態を示した斜視図である。
【図２６】物品ホルダの取り付け後の状態を示した側面断面図である。
【図２７】（ａ）図は本発明第３実施形態の物品ホルダ取付用基板を示した平面図、（ｂ）図は同じく正面図、（ｃ）図は（ｂ）図におけるＡ−Ａ断面図である。
【図２８】分解した状態の室内壁面埋込型スイッチと第１実施形態のホルダ取付用基板の一部を示した斜視図である。
【図２９】（ａ）図はスイッチ取付枠と第２実施形態のホルダ取付用基板の取り付け後の状態を示した正面図、（ｂ）図は、（ａ）図におけるＡ−Ａ断面図である。
【図３０】室内壁面埋込型スイッチの組み付け工程の途中の状態を示した斜視図である。
【図３１】室内壁面埋込型スイッチの組み付けと第３実施形態のホルダ取付用基板の取り付けを終えた状態を示した斜視図である。
【図３２】室内壁面埋込型スイッチの組み付けと第２実施形態のホルダ取付用基板の取り付けを終えた状態を示した正面図である。
【図３３】物品ホルダの取り付け後の状態を示した側面断面図である。
【図３４】分解した状態の室内壁面埋込型スイッチと第４実施形態のホルダ取付用基板を示した斜視図である。
【図３５】物品ホルダ取付用基板の取り付けと室内壁面埋込型スイッチの組み付けを終えた状態を示した斜視図である。
【図３６】同じくその側面断面図である。
【図３７】（ａ）図は本発明第５実施形態の物品ホルダ取付用基板を示した正面図、（ｂ）図は（ａ）図におけるＡ−Ａ断面図である。
【図３８】分解した状態の室内壁面埋込型スイッチと第５実施形態のホルダ取付用基板を示した斜視図である。
【図３９】第５実施形態のホルダ取付用基板を室内壁面埋込型スイッチと共に室内壁面に配設した状態を示した斜視図である。
【図４０】本発明による第６実施形態における室内壁面取付型物品ホルダのホルダ取付用基板と物品ホルダと分解した状態の室内壁面埋込型スイッチとを示した斜視図である。
【図４１】ホルダ取付用基板の物品ホルダ取付部に物品ホルダを取り付ける直前の状態を示した斜視図である。
【図４２】同じくその斜視図である。
【図４３】同じくその側面断面図である。
【図４４】物品ホルダ前端の係止爪を物品ホルダ取付部に形成されている開孔内に突入係止させた状態を示した部分平面拡大断面図である。
【符号の説明】
【００７８】
１０      本発明に係る第１の実施形態のホルダ取付用基板
１０Ａ    本発明に係る第２の実施形態のホルダ取付用基板
１０Ｂ    本発明に係る第３の実施形態のホルダ取付用基板
１０Ｃ    本発明に係る第４の実施形態のホルダ取付用基板
１０Ｄ    本発明に係る第５の実施形態のホルダ取付用基板
１０Ｅ    本発明に係る第６の実施形態のホルダ取付用基板
１０Ｌ    取付枠板部
１０Ｒ    物品ホルダ取付部
１０ａ    高段面
１０ｂ    ビス螺入孔
１０ｃ    開口部
１０ｄ    ビス挿通孔
１０ｅ    長孔
２０      室内壁面埋込型スイッチ
２１      フラッシプレート
２２      スイッチ取付枠
２２ｃ    ビス螺入孔
２２ｅ    リブ
２３      プレート枠
２３ａ    開口部
２３ｂ    周縁部
２４      化粧プレート
２４ｂ    係止爪
２５      スイッチ本体
２６      押込ボックス
２６ａ    取付面
２６ｂ    ビス螺入孔
２７      ビス
２９      ビス
８０      物品ホルダ
８１      係止用爪
９０      リモコン端末器
９１      リモコン端末器ホルダ
Ｐ      隙間
Ｗ      室内壁面
Ｗａ    開口部
【図１】
2009165693.tif 000003
【図２】
2009165693.tif 000004
【図３】
2009165693.tif 000005
【図４】
2009165693.tif 000006
【図５】
2009165693.tif 000007
【図６】
2009165693.tif 000008
【図７】
2009165693.tif 000009
【図８】
2009165693.tif 000010
【図９】
2009165693.tif 000011
【図１０】
2009165693.tif 000012
【図１１】
2009165693.tif 000013
【図１２】
2009165693.tif 000014
【図１３】
2009165693.tif 000015
【図１４】
2009165693.tif 000016
【図１５】
2009165693.tif 000017
【図１６】
2009165693.tif 000018
【図１７】
2009165693.tif 000019
【図１８】
2009165693.tif 000020
【図１９】
2009165693.tif 000021
【図２０】
2009165693.tif 000022
【図２１】
2009165693.tif 000023
【図２２】
2009165693.tif 000024
【図２３】
2009165693.tif 000025
【図２４】
2009165693.tif 000026
【図２５】
2009165693.tif 000027
【図２６】
2009165693.tif 000028
【図２７】
2009165693.tif 000029
【図２８】
2009165693.tif 000030
【図２９】
2009165693.tif 000031
【図３０】
2009165693.tif 000032
【図３１】
2009165693.tif 000033
【図３２】
2009165693.tif 000034
【図３３】
2009165693.tif 000035
【図３４】
2009165693.tif 000036
【図３５】
2009165693.tif 000037
【図３６】
2009165693.tif 000038
【図３７】
2009165693.tif 000039
【図３８】
2009165693.tif 000040
【図３９】
2009165693.tif 000041
【図４０】
2009165693.tif 000042
【図４１】
2009165693.tif 000043
【図４２】
2009165693.tif 000044
【図４３】
2009165693.tif 000045
【図４４】
2009165693.tif 000046
【手続補正書】
【提出日】平成20年2月1日(2008.2.1)
【手続補正１】
【補正対象書類名】明細書
【補正対象項目名】００７７
【補正方法】変更
【補正の内容】
【００７７】
【図１】（ａ）図は本発明第１実施形態の物品ホルダ取付用基板を示した平面図、（ｂ）図は同じく正面図、（ｃ）図は（ｂ）図におけるＡ−Ａ断面図である。
【図２】分解した状態の室内壁面埋込型スイッチと第１実施形態のホルダ取付用基板を示した斜視図である。
【図３】第１実施形態のホルダ取付用基板の取付枠板部をスイッチ取付枠背面側に配置させる手法の一例を示した斜視図である。
【図４】スイッチ取付枠と第１実施形態のホルダ取付用基板の装着後の状態を示した斜視図である。
【図５】、図５は同じく正面図である
【図６】図６は図５におけるＡ−Ａ断面図である。
【図７】プレート枠をスイッチ取付枠にビス止めして装着した状態を示した斜視図である。
【図８】同じくその正面図である。
【図９】図８におけるＡ−Ａ断面図である。
【図１０】化粧プレート装着後の状態を示した正面図である。
【図１１】図１０におけるＡ−Ａ断面図である。
【図１２】状差し形状として使用できる物品ホルダを第１実施形態のホルダ取付用基板に取り付ける直前の状態を示した斜視図である。
【図１３】同じく取り付け後の状態を示した正面図である
【図１４】図１３におけるＡ−Ａ断面図である。
【図１５】リモコン端末器ホルダを第１実施形態のホルダ取付用基板に取り付ける直前の状態を示した斜視図である。
【図１６】同じく取り付け後の状態を示した斜視図である。
【図１７】（ａ）図は本発明第２実施形態の物品ホルダ取付用基板を示した平面図、（ｂ）図は同じく正面図、（ｃ）図は（ｂ）図におけるＡ−Ａ断面図である。
【図１８】分解した状態の室内壁面埋込型スイッチと第１実施形態のホルダ取付用基板の一部を示した斜視図である。
【図１９】第２実施形態のホルダ取付用基板の取付枠板部をスイッチ取付枠の背面側に配置させる手法の一例を示した斜視図である。
【図２０】同じく正面図である。
【図２１】図２０におけるＡ−Ａ断面図である。
【図２２】室内壁面埋込型スイッチの組み付けと第２実施形態のホルダ取付用基板の取り付けを終えた状態を示した斜視図である。
【図２３】（ａ）図は室内壁面埋込型スイッチの組み付けと第２実施形態のホルダ取付用基板の取り付けを終えた状態を示した正面図、（ｂ）図は（ａ）図におけるＡ−Ａ断面図である。
【図２４】物品ホルダの取り付け方法を示した斜視図である。
【図２５】物品ホルダの取り付け後の状態を示した斜視図である。
【図２６】物品ホルダの取り付け後の状態を示した側面断面図である。
【図２７】（ａ）図は本発明第３実施形態の物品ホルダ取付用基板を示した平面図、（ｂ）図は同じく正面図、（ｃ）図は（ｂ）図におけるＡ−Ａ断面図である。
【図２８】分解した状態の室内壁面埋込型スイッチと第１実施形態のホルダ取付用基板の一部を示した斜視図である。
【図２９】（ａ）図はスイッチ取付枠と第２実施形態のホルダ取付用基板の取り付け後の状態を示した正面図、（ｂ）図は、（ａ）図におけるＡ−Ａ断面図である。
【図３０】室内壁面埋込型スイッチの組み付け工程の途中の状態を示した斜視図である。
【図３１】室内壁面埋込型スイッチの組み付けと第３実施形態のホルダ取付用基板の取り付けを終えた状態を示した斜視図である。
【図３２】室内壁面埋込型スイッチの組み付けと第２実施形態のホルダ取付用基板の取り付けを終えた状態を示した正面図である。
【図３３】物品ホルダの取り付け後の状態を示した側面断面図である。
【図３４】分解した状態の室内壁面埋込型スイッチと第４実施形態のホルダ取付用基板を示した斜視図である。
【図３５】物品ホルダ取付用基板の取り付けと室内壁面埋込型スイッチの組み付けを終えた状態を示した斜視図である。
【図３６】同じくその側面断面図である。
【図３７】（ａ）図は本発明第５実施形態の物品ホルダ取付用基板を示した正面図、（ｂ）図は（ａ）図におけるＡ−Ａ断面図である。
【図３８】分解した状態の室内壁面埋込型スイッチと第５実施形態のホルダ取付用基板を示した斜視図である。
【図３９】第５実施形態のホルダ取付用基板を室内壁面埋込型スイッチと共に室内壁面に配設した状態を示した斜視図である。
【図４０】本発明による第６実施形態における室内壁面取付型物品ホルダのホルダ取付用基板と物品ホルダと分解した状態の室内壁面埋込型スイッチとを示した斜視図である。
【図４１】ホルダ取付用基板の物品ホルダ取付部に物品ホルダを取り付ける直前の状態を示した斜視図である。
【図４２】同じくその斜視図である。
【図４３】同じくその側面断面図である。
【図４４】物品ホルダ前端の係止爪を物品ホルダ取付部に形成されている開孔内に突入係止させた状態を示した部分平面拡大断面図である。